(57)【要約】      （修正有）【課題】タイムラプス動画の生成処理の実行の際に、蓄電残量の報知を適正に行う。【解決手段】撮像装置であって、蓄電池９ａの蓄電残量を検出する蓄電残量検出部９ｂと、所定の時間間隔毎にタイムラプス動画の生成処理を実行する撮像部３と、タイムラプス動画の生成処理の実行の際に、検出された蓄電池の蓄電残量を取得する蓄電残量取得部７ａと、タイムラプス動画の生成処理の実行の際に、取得された蓄電池の蓄電残量を報知する報知部６と、を備えている。【選択図】図１
2018112744.tif 000002
【特許請求の範囲】
【請求項１】
各部に電源を供給する蓄電池と、
この蓄電池の蓄電残量を検出する検出手段と、
所定の時間間隔毎に特定の処理を実行する処理手段と、
この処理手段による特定の処理が起動されたことを契機として、前記検出手段により検
出された前記蓄電池の蓄電残量を取得する取得手段と、
この取得手段により取得された前記蓄電池の蓄電残量を報知する報知手段と、
を備えたことを特徴とする報知装置。
【請求項２】
前記取得手段は、
前記処理手段による前記特定の処理の実行の際に、前記検出手段により検出された前記
蓄電池の蓄電残量を取得し、
前記報知手段は、
前記処理手段による前記特定の処理の実行の際に、前記取得手段により取得された前記
蓄電池の蓄電残量を報知することを特徴とする請求項１記載の報知装置。
【請求項３】
前記報知手段は、
発光手段を有し、前記取得手段により取得された前記蓄電池の蓄電残量に応じて、前記
発光手段の発光態様を制御することを特徴とする請求項１又は２に記載の報知装置。
【請求項４】
前記報知手段は、
放音手段を有し、前記取得手段により取得された前記蓄電池の蓄電残量に応じて、前記
放音手段の放音態様を制御することを特徴とする請求項１又は２に記載の報知装置。
【請求項５】
請求項１〜４の何れか一項に記載の報知装置と、
被写体を撮像する撮像手段とを備え、
前記特定の処理は、前記撮像手段が所定の時間間隔毎に被写体を撮像する撮像処理を含
むことを特徴とする撮像装置。
【請求項６】
前記撮像処理により撮像された所定数の画像に基づいて映像を生成する生成手段と、
この生成手段による映像の生成の際に、前記検出手段により検出された前記蓄電池の蓄
電残量が当該映像の生成に必要な電力量よりも多いか否かを判定する第１判定手段と、
この第１判定手段による判定結果に基づいて、前記生成手段による映像の生成を制御す
る生成制御手段と、
を更に備えることを特徴とする請求項５に記載の撮像装置。
【請求項７】
前記生成制御手段は、
前記第１判定手段により前記蓄電池の蓄電残量が多いと判定されると、前記生成手段に
映像を生成させるように制御することを特徴とする請求項６に記載の撮像装置。
【請求項８】
前記生成制御手段は、
前記第１判定手段により前記蓄電池の蓄電残量が多くないと判定されると、前記生成手
段による映像の生成を保留させるように制御することを特徴とする請求項６に記載の撮像
装置。
【請求項９】
前記生成制御手段は、
前記生成手段による映像の生成が保留されている状態で、前記蓄電池に対して外部から
電源が供給されると、前記生成手段に当該保留されている映像を生成させるように制御す
ることを特徴とする請求項８に記載の撮像装置。
【請求項１０】
前記蓄電池に対する外部からの電源供給能力が前記蓄電池を充電のみさせる程度の能力
であるか否かを判定する第２判定手段を更に備え、
前記生成制御手段は、
前記第２判定手段により前記蓄電池を充電のみさせる程度の能力であると判定されると
、前記検出手段により検出された前記蓄電池の蓄電残量が前記生成手段による映像の生成
に必要な電力量よりも多くなったと前記第１判定手段により判定された後、前記生成手段
に当該保留されている映像を生成させるように制御することを特徴とする請求項９に記載
の撮像装置。
【請求項１１】
前記生成手段による当該保留されている映像の生成の際に、前記蓄電池に対する外部か
らの電源供給を停止させるよう制御する蓄電制御手段を更に備えることを特徴とする請求
項１０に記載の撮像装置。
【請求項１２】
各部に電源を供給する蓄電池を備える報知装置を用いた報知方法であって、
前記蓄電池の蓄電残量を検出するステップと、
所定の時間間隔毎に特定の処理を実行するステップと、
前記特定の処理が起動されたことを契機として、前記検出された前記蓄電池の蓄電残量
を取得するステップと、
取得された前記蓄電池の蓄電残量を報知するステップと、
を含むことを特徴とする報知方法。
【請求項１３】
各部に電源を供給する蓄電池を備える報知装置のコンピュータを、
前記蓄電池の蓄電残量を検出する検出手段、
所定の時間間隔毎に特定の処理を実行する処理手段、
この処理手段によって前記特定の処理が起動されたことを契機として、前記検出手段に
より検出された前記蓄電池の蓄電残量を取得する取得手段、
この取得手段により取得された前記蓄電池の蓄電残量を報知する報知手段、
として機能させることを特徴とするプログラム。
【発明の詳細な説明】
【技術分野】
【０００１】
本発明は、報知装置、撮像装置、報知方法及びプログラムに関する。
【背景技術】
【０００２】
従来、ユーザによる電源オン／オフの切り替えタイミングで、ロゴマークを所定の態様で発光させることで蓄電池の蓄電残量を報知するカメラが知られている（例えば、特許文献１参照）。
【先行技術文献】
【特許文献】
【０００３】
【特許文献１】特開２００８−１３４４３８号公報
【発明の概要】
【発明が解決しようとする課題】
【０００４】
しかしながら、上記特許文献１の場合、撮像レンズを被覆或いは露出させるレンズバリアをユーザが移動させることで電源オン／オフを切り替えるタイミングでのみ蓄電残量の報知を行うため、これら以外のタイミングでは蓄電残量の報知を行うことができないといった問題がある。
【０００５】
そこで、本発明の課題は、特定の処理の実行の際に、蓄電残量の報知を適正に行うことができる報知装置、撮像装置、報知方法及びプログラムを提供することである。
【課題を解決するための手段】
【０００６】
上記課題を解決するため、本発明に係る報知装置は、
各部に電源を供給する蓄電池と、この蓄電池の蓄電残量を検出する検出手段と、所定の
時間間隔毎に特定の処理を実行する処理手段と、この処理手段による特定の処理が起動さ
れたことを契機として、前記検出手段により検出された前記蓄電池の蓄電残量を取得する
取得手段と、この取得手段により取得された前記蓄電池の蓄電残量を報知する報知手段と
、を備えたことを特徴としている。
【０００７】
また、本発明に係る撮像装置は、
本発明に係る報知装置と、被写体を撮像する撮像手段とを備え、前記特定の処理は、前記撮像手段が被写体を撮像する撮像処理を含むことを特徴としている。
【０００８】
また、本発明に係る報知方法は、
各部に電源を供給する蓄電池を備える報知装置を用いた報知方法であって、前記蓄電池
の蓄電残量を検出するステップと、所定の時間間隔毎に特定の処理を実行するステップと
、前記特定の処理が起動されたことを契機として、前記検出された前記蓄電池の蓄電残量
を取得するステップと、取得された前記蓄電池の蓄電残量を報知するステップと、を含む
ことを特徴としている。
【０００９】
また、本発明に係るプログラムは、
各部に電源を供給する蓄電池を備える報知装置のコンピュータを、前記蓄電池の蓄電残
量を検出する検出手段、所定の時間間隔毎に特定の処理を実行する処理手段、この処理手
段によって前記特定の処理が起動されたことを契機として、前記検出手段により検出され
た前記蓄電池の蓄電残量を取得する取得手段、この取得手段により取得された前記蓄電池
の蓄電残量を報知する報知手段、として機能させることを特徴としている。
【発明の効果】
【００１０】
本発明によれば、特定の処理の実行の際に、蓄電残量の報知を適正に行うことができる。
【図面の簡単な説明】
【００１１】
【図１】本発明を適用した一実施形態の撮像装置の概略構成を示す図である。
【図２】図１の撮像装置によるインターバル撮像処理に係る動作の一例を示すフローチャートである。
【図３】図１の撮像装置による蓄電残量報知処理に係る動作の一例を示すフローチャートである。
【図４】図１の撮像装置によるタイムラプス動画生成処理に係る動作の一例を示すフローチャートである。
【図５】図１の撮像装置による充電時処理に係る動作の一例を示すフローチャートである。
【発明を実施するための形態】
【００１２】
以下に、本発明について、図面を用いて具体的な態様を説明する。ただし、発明の範囲は、図示例に限定されない。
図１は、本発明を適用した一実施形態の撮像装置１００の概略構成を示す図である。
【００１３】
図１に示すように、本実施形態の撮像装置１００は、中央制御部１と、メモリ２と、撮像部３と、処理内容設定部４と、画像データ生成部５と、報知部６と、報知制御部７と、データ生成制御部８と、電源部９と、操作入力部１０等を備えている。
また、中央制御部１、メモリ２、撮像部３、処理内容設定部４、画像データ生成部５、報知部６、報知制御部７、データ生成制御部８及び電源部９は、バスライン１１を介して接続されている。
【００１４】
中央制御部１は、撮像装置１００の各部を制御するものである。具体的には、中央制御部１は、撮像装置１００の各部を制御するＣＰＵ（図示略）を具備し、撮像装置１００用の各種処理プログラム（図示略）に従って各種の制御動作を行う。
【００１５】
メモリ２は、例えば、ＤＲＡＭ等により構成されている。また、メモリ２は、中央制御部１等によって処理されるデータ等を一時的に記憶するバッファメモリや、中央制御部１などのワーキングメモリ、当該撮像装置１００の機能に係る各種プログラムやデータが格納されたプログラムメモリ等（何れも図示略）を備えている。
【００１６】
撮像部３は、レンズ部３ａと、電子撮像部３ｂと、撮像制御部３ｃとを備えている。
【００１７】
レンズ部３ａは、例えば、ズームレンズやフォーカスレンズ等の複数のレンズから構成されている。
電子撮像部３ｂは、例えば、ＣＣＤ（Charge Coupled Device）やＣＭＯＳ（Complementary Metal-oxide Semiconductor）等のイメージセンサから構成され、レンズ部３ａの各種レンズを通過した光学像を二次元の画像信号に変換する。
なお、図示は省略するが、撮像部３は、レンズ部３ａを通過する光の量を調整する絞りを備えていても良い。
【００１８】
撮像制御部３ｃは、図示は省略するが、タイミング発生器、ドライバなどを備えている。そして、撮像制御部３ｃは、タイミング発生器、ドライバにより電子撮像部３ｂを走査駆動して、所定周期毎に光学像を電子撮像部３ｂにより二次元の画像信号に変換させ、当該電子撮像部３ｂの撮像領域から１画面分ずつフレーム画像を読み出して画像データ生成部５に出力させる。
具体的には、撮像制御部３ｃは、所定の時間間隔毎に、レンズ部３ａを通過した被写体の光学像を電子撮像部３ｂにより二次元の画像信号に変換させることで、一連の複数の静止画像を撮像する撮像処理を実行させる（所謂、インターバル撮像処理）。このとき、撮像制御部３ｃは、少なくとも何れか一の撮像タイミングにて、複数枚の静止画像を連続して撮像させるようにしても良く、この場合には、所定の時間間隔毎に複数毎の静止画像が撮像された状態となる。
このように、撮像部３は、処理手段として、所定の時間間隔毎に撮像処理（特定の処理）を実行する。
【００１９】
また、撮像制御部３ｃは、ＡＦ（自動合焦処理）、ＡＥ（自動露出処理）、ＡＷＢ（自動ホワイトバランス）等の被写体の撮像条件の調整制御を行う。
【００２０】
処理内容設定部（設定手段）４は、撮像部３により実行される撮像処理（特定の処理）の処理内容を設定する。具体的には、処理内容設定部４は、例えば、ユーザによる操作入力部１０の所定操作に基づいて入力された撮像処理の時間間隔、一の撮像タイミングにおける静止画像の撮像枚数、撮像処理の開始時刻や終了時刻等を処理内容として設定する。
なお、処理内容設定部４は、予めデフォルトとして設定されている処理内容を設定するようにしても良い。
【００２１】
画像データ生成部５は、電子撮像部３ｂから転送されたフレーム画像のアナログ値の信号に対してＲＧＢの各色成分毎に適宜ゲイン調整した後に、サンプルホールド回路（図示略）でサンプルホールドしてＡ／Ｄ変換器（図示略）でデジタルデータに変換し、カラープロセス回路（図示略）で画素補間処理及びγ補正処理を含むカラープロセス処理を行った後、デジタル値の輝度信号Ｙ及び色差信号Ｃｂ，Ｃｒ（ＹＵＶデータ）を生成する。
そして、画像データ生成部５は、生成された各フレーム画像のＹＵＶデータをメモリ２に順次出力し、当該メモリ２に格納させる。
【００２２】
また、画像データ生成部（生成手段）５は、撮像処理により撮像された所定数の画像に基づいてタイムラプス動画（映像）を生成する。
即ち、画像データ生成部５は、所定の時間間隔毎に、撮像部３により撮像された一連の複数の静止画像の画像データを連結してタイムラプス動画の画像データを生成する。具体的には、画像データ生成部５は、一連の複数の静止画像の画像データを所定の符号化方式（例えば、Motion-JPEG形式等）で符号化してタイムラプス動画の画像データを生成する。
また、各撮像タイミングにて撮像部３により複数毎の静止画像が撮像されている場合には、画像データ生成部５は、少なくとも何れか一の撮像タイミングにて撮像された複数枚の静止画像を代表する代表画像を特定して、特定された代表画像を用いてタイムラプス動画の画像データを生成しても良い。
【００２３】
報知部（報知手段）６は、蓄電池９ａの蓄電残量を報知する。具体的には、報知部６は、発光部６ａと、放音部６ｂ等を具備している。
【００２４】
発光部（発光手段）６ａは、例えば、ＬＥＤ（Light Emitting Diode）等から構成され、印加される電圧に応じて所定の発光態様（例えば、所定の周期、所定の発光色等）で発光する。
即ち、発光部６ａは、報知制御部７の制御下にて、蓄電池９ａの蓄電残量に応じた所定の発光態様で発光する。具体的には、発光部６ａは、例えば、蓄電池９ａの蓄電残量に応じて、発光の有無、発光の周期、発光色のうちの何れか一を異ならせた発光態様でそれぞれ発光する。
【００２５】
放音部（放音手段）６ｂは、例えば、スピーカ等から構成され、所定の報知音等の音データをデータ変換部（図示略）によりＤ／Ａ変換処理して所定の放音態様（例えば、所定の周期、所定の周波数等）で所定の音を発する。
即ち、放音部６ｂは、報知制御部７の制御下にて、蓄電池９ａの蓄電残量に応じた所定の放音態様で放音する。具体的には、放音部６ｂは、例えば、蓄電池９ａの蓄電残量に応じて、放音の有無、放音の周期、放音の周波数のうちの何れか一を異ならせた放音態様でそれぞれ放音する。
【００２６】
報知制御部７は、報知部６による蓄電池９ａの蓄電残量の報知を制御する。具体的には、報知制御部７は、蓄電残量取得部７ａを具備している。
蓄電残量取得部（取得手段）７ａは、撮像部３による撮像処理の実行の際に、電源部９の蓄電残量検出部９ｂ（後述）により検出された蓄電池９ａの蓄電残量を取得する。具体的には、蓄電残量取得部７ａは、撮像処理にて所定の時間間隔毎（例えば、撮像タイミング毎等）に、蓄電残量検出部９ｂにより検出された蓄電池９ａの蓄電残量をメモリ２から読み出して取得する。
また、蓄電残量取得部７ａは、処理内容設定部４による撮像処理の処理内容の設定の際に、蓄電残量検出部９ｂにより検出された蓄電池９ａの蓄電残量を取得しても良い。具体的には、処理内容設定部４により撮像処理の処理内容が設定されると、蓄電残量取得部７ａは、蓄電残量検出部９ｂにより検出された蓄電池９ａの蓄電残量をメモリ２から読み出して取得する。
【００２７】
また、報知制御部７は、蓄電残量取得部７ａにより取得された蓄電池９ａの蓄電残量に応じた所定の報知態様で報知させるように報知部６を制御する。具体的には、例えば、報知制御部７は、報知部６に対して蓄電池９ａの蓄電残量（例えば、満充電に対する蓄電残量が７０％以上、２０％以上７０％未満、２０％未満等）に応じて発光の周期を異ならせて発光部６ａを発光させる発光制御指示をそれぞれ出力する。
そして、発光部６ａは、報知制御部７から出力された発光制御指示が入力されると、当該発光制御指示に従って蓄電池９ａの蓄電残量に応じた所定の発光態様（例えば、第１〜第３の発光態様等）で発光する。
なお、報知制御部７は、蓄電残量取得部７ａにより取得された蓄電池９ａの蓄電残量に応じた所定の放音態様で放音して報知させるように報知部６の放音部６ｂを制御しても良い。
【００２８】
データ生成制御部（生成制御手段）８は、画像データ生成部５によるタイムラプス動画の生成を制御する。
【００２９】
具体的には、データ生成制御部８は、蓄電池９ａの蓄電残量がタイムラプス動画の生成に必要な電力量よりも多いか否かを判定する第１判定部（第１判定手段）８ａを具備している。
即ち、第１判定部８ａは、画像データ生成部５によるタイムラプス動画の生成の際に、蓄電残量検出部９ｂにより検出された蓄電池９ａの蓄電残量をメモリ２から取得する。また、第１判定部８ａは、タイムラプス動画を生成するための一連の複数の静止画像の画像データに基づいて所定の演算手段を行ってタイムラプス動画の生成に必要な電力量を算出して取得する。つまり、第１判定部８ａは、タイムラプス動画を構成する複数の静止画像（代表画像）の特定や、複数の静止画像の連結に要する電力量を算出する。そして、第１判定部８ａは、蓄電池９ａの蓄電残量がタイムラプス動画の生成に必要な電力量よりも多いか否かを判定する。
【００３０】
また、データ生成制御部８は、第１判定部８ａによる判定結果に基づいて、画像データ生成部５によるタイムラプス動画の生成を制御する。
即ち、第１判定部８ａにより蓄電池９ａの蓄電残量がタイムラプス動画の生成に必要な電力量よりも多いと判定されると、蓄電池９ａが十分に充電された状態でありタイムラプス動画の生成を完了させることができるので、データ生成制御部８は、画像データ生成部５に対してタイムラプス動画を生成させる生成制御指示を出力する。一方、第１判定部８ａにより蓄電池９ａの蓄電残量がタイムラプス動画の生成に必要な電力量よりも多くないと判定されると、タイムラプス動画の生成を完了させることができないので、データ生成制御部８は、画像データ生成部５に対してタイムラプス動画の生成を保留させる保留制御指示を出力する。
なお、蓄電池９ａの蓄電残量とタイムラプス動画の生成に必要な電力量とが略等しくなっている場合には、データ生成制御部８は、画像データ生成部５にタイムラプス動画を生成させても良いし、当該生成を保留させても良い。
【００３１】
また、データ生成制御部８は、蓄電池９ａに対する外部からの電源供給能力が蓄電池９ａを充電のみさせる程度の能力であるか否かを判定する第２判定部（第２判定手段）８ｂを具備している。
即ち、第２判定部８ｂは、蓄電池９ａを充電するべく外部電源供給装置（例えば、ＡＣアダプタやポータブル電源装置等；図示略）と当該装置本体とが所定の接続手段（例えば、ＵＳＢ端子等；図示略）を介して接続された状態で、外部電源供給装置からの電源供給能力（給電能力）を特定する。具体的には、第２判定部８ｂは、例えば、デバイスドライバによって当該装置本体と接続された外部電源供給装置を認識して、その電源供給能力（例えば、ＵＳＢ２．０規格で接続されたポータブル電源装置の場合、供給電圧５Ｖ／最大電圧５００ｍＡ等）を特定する。
そして、第２判定部８ｂは、特定された外部電源供給装置からの電源供給能力が蓄電池９ａを充電のみさせる程度の能力であるか否かを判定する。即ち、外部電源供給装置からの電源供給能力によっては、蓄電池９ａの充電にかかる消費電力分しか賄えない場合があるため、第２判定部８ｂは、蓄電池９ａの充電と並行して他の処理（例えば、後述するタイムラプス動画の生成処理等）を行うことができるかどうかを判定する。
【００３２】
また、データ生成制御部８は、画像データ生成部５によるタイムラプス動画の生成が保留されている状態で、蓄電池９ａに対して外部電源供給装置から電源が供給されると、画像データ生成部５に対して当該保留されているタイムラプス動画を生成させる生成制御指示を出力する。
このとき、データ生成制御部８は、第２判定部８ｂによる判定結果に基づいて、画像データ生成部５によるタイムラプス動画の生成を制御する。即ち、第２判定部８ｂにより外部電源供給装置からの電源供給能力が蓄電池９ａを充電のみさせる程度の能力であると判定された場合、第１判定部８ａは、蓄電残量検出部９ｂにより検出された蓄電池９ａの蓄電残量をメモリ２から取得して、取得された蓄電池９ａの蓄電残量がタイムラプス動画の生成に必要な電力量よりも多いか否かを判定する。ここで、蓄電池９ａの蓄電残量がタイムラプス動画の生成に必要な電力量よりも多くなったと判定されると、データ生成制御部８は、画像データ生成部５に対して当該保留されているタイムラプス動画を生成させる生成制御指示を出力する。
【００３３】
電源部９は、当該装置本体を構成する各部に電源を供給する。具体的には、電源部９は、蓄電池９ａと、蓄電残量検出部９ｂと、充電制御部９ｃ等を具備している。
【００３４】
蓄電池９ａは、例えば、各種方式の蓄電池（例えば、リチウムイオン電池、ニッケル・水素充電池等）から構成されている。従って、外部からＡＣ電源が供給されていない状態では、当該蓄電池９ａから供給可能な電源容量は所定量に限定されている。
【００３５】
蓄電残量検出部（検出手段）９ｂは、蓄電池９ａの蓄電残量を検出する。
即ち、蓄電残量検出部９ｂは、例えば、所定の時間間隔毎に、所定の条件下で蓄電池９ａから供給可能な電力量を蓄電残量として検出する。このとき、蓄電残量検出部９ｂは、蓄電池９ａから最大限供給可能な満充電時の電力量に対して現時点で供給可能な電力量の相対的な割合を算出して蓄電残量としても良い。
なお、検出された蓄電残量は、メモリ２に出力されて、当該メモリ２に一時的に保持されても良い。
【００３６】
充電制御部９ｃは、蓄電池９ａに対する外部からの電源供給を制御する。
即ち、充電制御部９ｃは、蓄電池９ａを充電するべく電源を供給する外部電源供給装置と当該装置本体とが所定の接続手段を介して接続された状態で、蓄電池９ａの充電動作を制御する。具体的には、外部電源供給装置と当該装置本体とが接続された状態で、充電制御部９ｃは、蓄電池９ａの蓄電残量が所定値以下である場合に、外部電源供給装置から蓄電池９ａに電源を供給して当該蓄電池９ａを充電する。
ここで、画像データ生成部５によるタイムラプス動画（映像）の生成の際には、充電制御部（蓄電制御手段）９ｃは、蓄電池９ａに対する電源供給を停止させるよう制御しても良い。具体的には、蓄電池９ａの蓄電残量がタイムラプス動画の生成に十分となる所定の判定値を超えた場合に、充電制御部９ｃは、外部電源供給装置から蓄電池９ａに対する電源供給を停止させ、この状態で、画像データ生成部５は、タイムラプス動画の生成を行う。
【００３７】
操作入力部１０は、装置本体に対して各種指示を入力するためのものである。
具体的には、操作入力部１０は、例えば、装置本体の電源のＯＮ／ＯＦＦに係る電源ボタン、被写体の撮像指示に係るシャッタボタン、撮像モードや機能等の選択指示に係る選択決定ボタン、ズーム量の調整指示に係るズームボタン（何れも図示略）等を備えている。そして、ユーザにより各種ボタンが操作されると、操作入力部１０は、操作されたボタンに応じた操作指示を中央制御部１に出力する。中央制御部１は、操作入力部１０から出力され入力された操作指示に従って所定の動作（例えば、被写体の撮像等）を各部に実行させる。
【００３８】
＜インターバル撮像処理＞
以下に、インターバル撮像処理について、図２を参照して詳細に説明する。
図２は、インターバル撮像処理に係る動作の一例を示すフローチャートである。
【００３９】
なお、以下に説明するインターバル撮像処理は、外部電源供給装置からの電源が供給されていない状態で行われるものとする。また、蓄電残量検出部９ｂによる蓄電残量の検出は、所定の時間間隔毎に繰り返し実行され、検出された蓄電残量は、メモリ２に逐次出力されて当該メモリ２に一時的に保持されるものとする。
【００４０】
図２に示すように、先ず、処理内容設定部４は、インターバル撮像処理の処理内容を設定する（ステップＳ１）。具体的には、処理内容設定部４は、ユーザによる操作入力部１０の所定操作に基づいて入力された撮像処理の時間間隔、一の撮像タイミングにおける静止画像の撮像枚数、撮像処理の開始時刻や終了時刻等を処理内容として設定する。
【００４１】
次に、報知部６は、報知制御部７の制御下にて、蓄電池９ａの蓄電残量を報知する蓄電残量報知処理（図３参照）を実行する（ステップＳ２；詳細後述）。
【００４２】
続けて、撮像制御部３ｃは、処理内容設定部４により設定された処理内容に基づいて、撮像処理の開始タイミングであるか否かを判定する（ステップＳ３）。
ここで、撮像処理の開始タイミングでないと判定されると（ステップＳ３；ＮＯ）、撮像制御部３ｃは、撮像処理の開始タイミングであると判定（ステップＳ３；ＹＥＳ）されるまで、当該判定処理を繰り返し実行する（ステップＳ３）。
【００４３】
ステップＳ３にて、撮像処理の開始タイミングであると判定されると（ステップＳ３；ＹＥＳ）、報知部６は、報知制御部７の制御下にて、蓄電池９ａの蓄電残量を報知する蓄電残量報知処理（図３参照）を実行する（ステップＳ４；詳細後述）。
続けて、撮像制御部３ｃは、蓄電残量検出部９ｂにより直前に検出された蓄電池９ａの蓄電残量をメモリ２から読み出して取得し、取得された蓄電残量がインターバル撮像処理の実行完了に必要な電力量に対応する所定の判定値未満であるか否かを判定する（ステップＳ５）。
【００４４】
ステップＳ５にて、蓄電残量が所定の判定値未満でないと判定されると（ステップＳ５；ＮＯ）、撮像制御部３ｃは、被写体の撮像処理を所定の時間間隔毎に繰り返し実行する（ステップＳ６）。具体的には、撮像制御部３ｃは、各撮像タイミングにて、レンズ部３ａを通過した被写体の光学像を電子撮像部３ｂにより二次元の画像信号に変換させる処理を連続して複数回行うことで、複数枚の静止画像を連続して撮像させる。
その後、画像データ生成部５は、電子撮像部３ｂから転送された各静止画像のＹＵＶデータ（画像データ）を生成した後、メモリ２に順次出力して当該メモリ２に格納させる。
【００４５】
そして、撮像制御部３ｃは、処理内容設定部４により設定された処理内容に基づいて、撮像処理の終了タイミングであるか否かを判定する（ステップＳ７）。
ここで、撮像処理の終了タイミングでないと判定されると（ステップＳ７；ＮＯ）、撮像制御部３ｃは、処理をステップＳ６に戻し、被写体の撮像処理を所定の時間間隔毎に繰り返し実行する（ステップＳ６）。
【００４６】
ステップＳ７にて、撮像処理の終了タイミングであると判定されると（ステップＳ７；ＹＥＳ）、第１判定部８ａは、蓄電池９ａの蓄電残量がタイムラプス動画の生成に必要な電力量よりも多いか否かを判定する（ステップＳ８）。具体的には、第１判定部８ａは、蓄電残量検出部９ｂにより直前に検出された蓄電池９ａの蓄電残量をメモリ２から取得するとともに、タイムラプス動画を生成するための一連の複数の静止画像の画像データに基づいて所定の演算手段を行ってタイムラプス動画の生成に必要な電力量を算出して取得する。そして、第１判定部８ａは、蓄電池９ａの蓄電残量がタイムラプス動画の生成に必要な電力量よりも多いか否かを判定する。
【００４７】
ステップＳ８にて、蓄電池９ａの蓄電残量がタイムラプス動画の生成に必要な電力量よりも多いと判定されると（ステップＳ８；ＹＥＳ）、データ生成制御部８は、画像データ生成部５に対してタイムラプス動画を生成させる生成制御指示を出力し、画像データ生成部５は、タイムラプス動画生成処理（図４参照）を実行する（ステップＳ９；詳細後述）。
その後、報知部６の放音部６ｂは、インターバル撮像処理にてタイムラプス動画の生成が完了したことを表す音を放音する（ステップＳ１０）。
これにより、インターバル撮像処理を終了する。
【００４８】
一方、ステップＳ８にて、蓄電池９ａの蓄電残量がタイムラプス動画の生成に必要な電力量よりも多くないと判定されると（ステップＳ８；ＮＯ）、データ生成制御部８は、画像データ生成部５に対してタイムラプス動画の生成を保留させる保留制御指示を出力して、インターバル撮像処理にてタイムラプス動画の生成が完了していないことを表す未完了フラグを設定してメモリ２に一時的に格納する（ステップＳ１１）。
その後、放音部６ｂは、インターバル撮像処理が完了していないこと（特に、タイムラプス動画の生成が完了していないこと）を表す音を放音する（ステップＳ１２）。
これにより、インターバル撮像処理を終了する。
【００４９】
また、ステップＳ５にて、蓄電池９ａの蓄電残量がインターバル撮像処理の実行完了に必要な電力量に対応する所定の判定値未満であると判定されると（ステップＳ５；ＹＥＳ）、中央制御部１のＣＰＵは、処理をステップＳ１２に移行して、放音部６ｂは、インターバル撮像処理が完了していないことを表す音を放音する（ステップＳ１２）。
これにより、インターバル撮像処理を終了する。
【００５０】
＜蓄電残量報知処理＞
以下に、蓄電残量報知処理について、図３を参照して詳細に説明する。
図３は、蓄電残量報知処理に係る動作の一例を示すフローチャートである。
【００５１】
図３に示すように、先ず、蓄電残量取得部７ａは、蓄電残量検出部９ｂにより直前に検出された蓄電池９ａの蓄電残量をメモリ２から読み出して取得する（ステップＳ２１）。
【００５２】
次に、報知制御部７は、蓄電残量取得部７ａにより取得された蓄電池９ａの蓄電残量に応じて処理を分岐させる（ステップＳ２２）。即ち、報知制御部７は、蓄電池９ａの蓄電残量が満充電に対して７０％以上である場合には（ステップＳ２２；７０％以上）、処理をステップＳ２３１に移行し、満充電に対して２０％以上７０％未満である場合には（ステップＳ２２；２０％〜７０％）、処理をステップＳ２３２に移行し、満充電に対して２０％未満である場合には（ステップＳ２２；２０％未満）、処理をステップＳ２３３に移行する。
【００５３】
蓄電残量が満充電に対して７０％以上である場合（ステップＳ２２；７０％以上）、報知制御部７は、報知部６に対して第１の発光態様となる所定の周期で発光部６ａを発光させる第１発光制御指示を出力する。そして、発光部６ａは、入力された第１発光制御指示に従って第１の発光態様で発光する（ステップＳ２３１）。
また、蓄電残量が満充電に対して２０％以上７０％未満である場合（ステップＳ２２；２０％〜７０％）、報知制御部７は、報知部６に対して第２の発光態様となる所定の周期で発光部６ａを発光させる第２発光制御指示を出力する。そして、発光部６ａは、入力された第２発光制御指示に従って第２の発光態様で発光する（ステップＳ２３２）。
また、蓄電残量が満充電に対して２０％未満である場合（ステップＳ２２；２０％未満）、報知制御部７は、報知部６に対して第３の発光態様となる所定の周期で発光部６ａを発光させる第３発光制御指示を出力する。そして、発光部６ａは、入力された第３発光制御指示に従って第３の発光態様で発光する（ステップＳ２３３）。
これにより、蓄電残量報知処理を終了する。
【００５４】
＜タイムラプス動画生成処理＞
以下に、タイムラプス動画生成処理について、図４を参照して詳細に説明する。
図４は、タイムラプス動画生成処理に係る動作の一例を示すフローチャートである。
【００５５】
図４に示すように、先ず、画像データ生成部５は、各撮像タイミングにて撮像された画像をそれぞれ特定する（ステップＳ３１）。具体的には、画像データ生成部５は、各撮像タイミング毎に撮像された複数枚の静止画の画像データを取得する。
【００５６】
次に、画像データ生成部５は、各撮像タイミング毎に撮像された複数枚の画像データを所定の符号化方式（例えば、Motion-JPEG形式等）で符号化してタイムラプス動画の画像データを生成する（ステップＳ３２）。生成されたタイムラプス動画の画像データは、図示しない記録媒体に転送されて記録される。
これにより、タイムラプス動画生成処理を終了する。
【００５７】
なお、タイムラプス動画生成の際に利用される静止画は、撮影タイミング毎に撮像された全ての静止画でなくても良く、例えば、所定間隔で間引いたものであっても良い。
また、各撮像タイミングにて撮像された画像は、動画を含んでいても良い。この場合、タイムラプス動画生成の際に利用される静止画は、上記動画において、手ぶれ量や被写体ぶれ量や構図等を考慮し選択されたフレームを含むようにしても良い。
【００５８】
＜充電時処理＞
以下に、充電時処理について、図５を参照して詳細に説明する。
図５は、充電時処理に係る動作の一例を示すフローチャートである。
【００５９】
なお、以下に説明する充電時処理は、当該装置本体と蓄電池９ａに電源を供給する外部電源供給装置（例えば、ＡＣアダプタやポータブル電源装置等）とが所定の接続手段（例えば、ＵＳＢ端子等）を介して接続された状態で行われるものとする。
【００６０】
図５に示すように、先ず、報知部６は、報知制御部７の制御下にて、蓄電池９ａの蓄電残量を報知する蓄電残量報知処理（図３参照）を実行する（ステップＳ４１）。
なお、蓄電残量報知処理は、上記した内容と略同様であるので、ここでは詳細な説明は省略する。
次に、データ生成制御部８は、メモリ２を参照して未完了フラグが設定されているか否かを判定する（ステップＳ４２）。
【００６１】
ステップＳ４２にて、未完了フラグが設定されていると判定されると（ステップＳ４２；ＹＥＳ）、第２判定部８ｂは、当該装置本体と接続された外部電源供給装置を認識して、その電源供給能力（例えば、ＵＳＢ２．０規格で接続されたポータブル電源装置の場合、供給電圧５Ｖ／最大電圧５００ｍＡ等）を特定し、特定された外部電源供給装置からの電源供給能力が蓄電池９ａを充電のみさせる程度の能力であるか否かを判定する（ステップＳ４３）。
ここで、外部電源供給装置からの電源供給能力が蓄電池９ａを充電のみさせる程度の能力でないと判定されると（ステップＳ４３；ＮＯ）、蓄電池９ａの充電と並行してタイムラプス動画の生成処理を行うことができるので、充電制御部９ｃは、外部電源供給装置から蓄電池９ａに電源を供給して当該蓄電池９ａの充電を開始する（ステップＳ４４）。
続けて、データ生成制御部８は、画像データ生成部５に対してタイムラプス動画を生成させる生成制御指示を出力し、画像データ生成部５は、タイムラプス動画生成処理（図４参照）を実行する（ステップＳ４５）。
なお、タイムラプス動画生成処理は、上記した内容と略同様であるので、ここでは詳細な説明は省略する。
【００６２】
そして、タイムラプス動画生成処理の終了後、充電制御部９ｃは、蓄電池９ａの蓄電残量が満充電の状態に達したか否かを判定する（ステップＳ４６）。
ここで、蓄電池９ａの蓄電残量が満充電の状態に達していないと判定されると（ステップＳ４６；ＮＯ）、充電制御部９ｃは、当該判定処理を所定の時間間隔毎に繰り返し実行する（ステップＳ４６）。
一方、ステップＳ４６にて、蓄電池９ａの蓄電残量が満充電の状態に達したと判定されると（ステップＳ４６；ＹＥＳ）、充電制御部９ｃは、外部電源供給装置から蓄電池９ａに対する電源の供給、即ち、蓄電池９ａの充電を停止する（ステップＳ４７）。
これにより、充電時処理を終了する。
【００６３】
一方、ステップＳ４３にて、外部電源供給装置からの電源供給能力が蓄電池９ａを充電のみさせる程度の能力であると判定されると（ステップＳ４３；ＹＥＳ）、蓄電池９ａの充電と並行してタイムラプス動画の生成処理を行うことができないので、充電制御部９ｃは、外部電源供給装置から蓄電池９ａに電源を供給する当該蓄電池９ａの充電を開始する（ステップＳ４８）。
次に、第１判定部８ａは、蓄電池９ａの蓄電残量がタイムラプス動画の生成に必要な電力量よりも多いか否かを判定する（ステップＳ４９）。
ここで、蓄電池９ａの蓄電残量がタイムラプス動画の生成に必要な電力量よりも多くないと判定されると（ステップＳ４９；ＮＯ）、第１判定部８ａは、当該判定処理を所定の時間間隔毎に繰り返し実行する（ステップＳ４９）。
【００６４】
ステップＳ４９にて、蓄電池９ａの蓄電残量がタイムラプス動画の生成に必要な電力量よりも多いと判定されると（ステップＳ４９；ＹＥＳ）、充電制御部９ｃは、外部電源供給装置から蓄電池９ａに対する電源の供給、即ち、蓄電池９ａの充電を停止する（ステップＳ５０）。
続けて、データ生成制御部８は、画像データ生成部５に対してタイムラプス動画を生成させる生成制御指示を出力し、画像データ生成部５は、タイムラプス動画生成処理（図４参照）を実行する（ステップＳ５１）。
なお、タイムラプス動画生成処理は、上記した内容と略同様であるので、ここでは詳細な説明は省略する。
【００６５】
そして、タイムラプス動画生成処理の終了後、充電制御部９ｃは、外部電源供給装置から蓄電池９ａに電源を供給する当該蓄電池９ａの充電を開始する（ステップＳ５２）。
次に、中央制御部１のＣＰＵは、処理をステップＳ４６に移行して、それ以降の各処理の実行を制御する。即ち、ステップＳ４６にて、蓄電池９ａの蓄電残量が満充電の状態に達したと判定（ステップＳ４６；ＹＥＳ）されるまで、充電制御部９ｃは、外部電源供給装置から蓄電池９ａに対して電源を供給し、蓄電池９ａの蓄電残量が満充電の状態に達すると、蓄電池９ａの充電を停止する（ステップＳ４７）。
これにより、充電時処理を終了する。
【００６６】
また、ステップＳ４２にて、未完了フラグが設定されていないと判定された場合にも（ステップＳ４２；ＮＯ）、中央制御部１のＣＰＵは、処理をステップＳ４６に移行して、それ以降の各処理の実行を制御する。
【００６７】
以上のように、本実施形態の撮像装置１００によれば、所定の時間間隔毎の特定の処理（例えば、所定の時間間隔毎に被写体を撮像する撮像処理等）の実行の際に、検出された蓄電池９ａの蓄電残量を取得して、取得された蓄電池９ａの蓄電残量を報知するので、蓄電池９ａの蓄電残量を表示する表示部を具備しない撮像装置１００であっても、所定の時間間隔毎に行う特定の処理にて、蓄電池９ａの蓄電残量の報知を適正に行うことができる。具体的には、蓄電池９ａの蓄電残量に応じて、発光部６ａの発光態様を制御するので、蓄電池９ａの蓄電残量に応じて発光部６ａの発光態様を異ならせて発光することにより蓄電池９ａの蓄電残量を適正に報知することができる。
さらに、所定の時間間隔毎（例えば、撮像タイミング毎等）に蓄電池９ａの蓄電残量を報知することができるので、当該蓄電残量を常時報知する必要がなくなり、当該装置の省電力化を適正に図ることができる。
【００６８】
また、特定の処理の処理内容を設定する際に、検出された蓄電池９ａの蓄電残量を取得するので、特定の処理の処理内容の設定タイミングにて、蓄電池９ａの蓄電残量を報知してユーザに適正に認識させることができる。
【００６９】
また、撮像された所定数の画像に基づいてタイムラプス動画（映像）を生成する際に、検出された蓄電池９ａの蓄電残量が当該タイムラプス動画の生成に必要な電力量よりも多いか否かを判定し、当該判定結果に基づいて、タイムラプス動画の生成を制御するので、所定数の画像の撮像後の蓄電池９ａの蓄電残量に応じてタイムラプス動画の生成を適正に行うことができる。
即ち、従来の装置では、撮像装置１００にて所定数の画像の撮像後にタイムラプス動画を生成するような構成となっていないため、撮像後に蓄電池９ａの蓄電残量を把握し、当該蓄電残量に応じてその後のタイムラプス動画の生成を行ったり、保留することは行われていなかった。これに対して、蓄電池９ａの蓄電残量がタイムラプス動画の生成に必要な電力量よりも多いと判定されると、タイムラプス動画を生成させるように制御し、その一方で、蓄電池９ａの蓄電残量がタイムラプス動画の生成に必要な電力量よりも多くないと判定されると、タイムラプス動画の生成を保留させるように制御するので、所定数の画像の撮像後の蓄電池９ａの蓄電残量に応じてタイムラプス動画の生成を適正に行うことができる。
【００７０】
また、タイムラプス動画の生成が保留されている状態で、蓄電池９ａに対して外部から電源が供給されると、当該保留されているタイムラプス動画を生成させるように制御するので、蓄電池９ａの蓄電残量がタイムラプス動画の生成に必要な電力量よりも多くないために、タイムラプス動画の生成が保留された状態であっても、蓄電池９ａに対する外部からの電源の供給を契機として保留されているタイムラプス動画の生成を適正に行うことができる。
【００７１】
さらに、蓄電池９ａに対する外部からの電源供給能力が蓄電池９ａを充電のみさせる程度の能力であるか否かを判定し、蓄電池９ａを充電のみさせる程度の能力であると判定されると、検出された蓄電池９ａの蓄電残量がタイムラプス動画の生成に必要な電力量よりも多くなったと判定された後、当該保留されているタイムラプス動画を生成させるように制御するので、蓄電池９ａに対する外部からの電源供給能力を考慮して、蓄電池９ａの充電を優先するかどうかを判断することができる。そして、蓄電池９ａの蓄電残量がタイムラプス動画の生成に必要な電力量よりも多くなった段階で、保留されているタイムラプス動画の生成を適正に行うことができる。
このとき、当該保留されているタイムラプス動画の生成の際に、蓄電池９ａに対する外部からの電源供給を停止させるので、タイムラプス動画の生成をより適正に行うことができる。
【００７２】
なお、本発明は、上記実施形態に限定されることなく、本発明の趣旨を逸脱しない範囲において、種々の改良並びに設計の変更を行っても良い。
例えば、上記実施形態にあっては、蓄電池９ａの蓄電残量に応じて発光部６ａの発光の周期を異ならせるようにしたが、一例であってこれに限られるものではなく、例えば、発光の有無や発光色を異ならせても良い。例えば、蓄電池９ａの蓄電残量が満充電に対して７０％以上、２０％以上７０％未満、２０％未満等に応じて、発光部６ａの発光色を緑、橙、赤等と異ならせるようにしても良い。
【００７３】
また、上記実施形態にあっては、発光部６ａの発光態様を異ならせて発光させることで蓄電池９ａの蓄電残量を報知するようにしたが、一例であってこれに限られるものではなく、例えば、放音部６ｂの放音態様を異ならせて放音させることで蓄電池９ａの蓄電残量を報知するようにしても良い。
【００７４】
さらに、上記実施形態にあっては、特定の処理として、インターバル撮像処理を例示したが、一例であってこれに限られるものではなく、例えば、通常の動画撮像処理であっても良いし、当該撮像装置１００を起動させる処理や終了させる処理の際に、蓄電池９ａの蓄電残量を報知するようにしても良い。
【００７５】
また、撮像装置１００の構成は、上記実施形態に例示したものは一例であり、これに限られるものではない。即ち、報知装置として撮像装置１００を例示したが、一例であってこれに限られるものではなく、特定の処理の実行の際に蓄電池９ａの蓄電残量を報知する構成であれば如何なるものであっても良い。
【００７６】
加えて、上記実施形態にあっては、検出手段、処理手段、取得手段、報知手段としての機能を、中央制御部１のＣＰＵの制御下にて、蓄電残量検出部９ｂ、撮像部３、蓄電残量取得部７ａ、報知部６が駆動することにより実現される構成としたが、これに限られるものではなく、中央制御部１によって所定のプログラム等が実行されることにより実現される構成としても良い。
即ち、プログラムを記憶するプログラムメモリ（図示略）に、検出処理ルーチン、実行処理ルーチン、取得処理ルーチン、報知処理ルーチンを含むプログラムを記憶しておく。そして、検出処理ルーチンにより中央制御部１のＣＰＵを、蓄電池の蓄電残量を検出する手段として機能させるようにしても良い。また、実行処理ルーチンにより中央制御部１のＣＰＵを、所定の時間間隔毎に特定の処理を実行する手段として機能させるようにしても良い。また、取得処理ルーチンにより中央制御部１のＣＰＵを、特定の処理の実行の際に、検出された蓄電池の蓄電残量を取得する手段として機能させるようにしても良い。また、報知処理ルーチンにより中央制御部１のＣＰＵを、特定の処理の実行の際に、取得された蓄電池の蓄電残量を報知する手段として機能させるようにしても良い。
【００７７】
同様に、設定手段、生成手段、第１判定手段、生成制御手段、第２判定手段、蓄電制御手段についても、中央制御部１のＣＰＵによって所定のプログラム等が実行されることにより実現される構成としても良い。
【００７８】
さらに、上記の各処理を実行するためのプログラムを格納したコンピュータ読み取り可能な媒体として、ＲＯＭやハードディスク等の他、フラッシュメモリ等の不揮発性メモリ、ＣＤ−ＲＯＭ等の可搬型記録媒体を適用することも可能である。また、プログラムのデータを所定の通信回線を介して提供する媒体としては、キャリアウェーブ（搬送波）も適用される。
【００７９】
本発明のいくつかの実施形態を説明したが、本発明の範囲は、上述の実施の形態に限定するものではなく、特許請求の範囲に記載された発明の範囲とその均等の範囲を含む。
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
各部に電源を供給する蓄電池と、
この蓄電池の蓄電残量を検出する検出手段と、
所定の時間間隔毎に特定の処理を実行する処理手段と、
この処理手段による前記特定の処理の実行の際に、前記検出手段により検出された前記蓄電池の蓄電残量を取得する取得手段と、
前記処理手段による前記特定の処理の実行の際に、前記取得手段により取得された前記蓄電池の蓄電残量を報知する報知手段と、
を備えたことを特徴とする報知装置。
＜請求項２＞
前記処理手段により実行される前記特定の処理の処理内容を設定する設定手段を更に備え、
前記取得手段は、
前記設定手段による処理内容の設定の際に、前記検出手段により検出された前記蓄電池の蓄電残量を取得することを特徴とする請求項１記載の報知装置。
＜請求項３＞
前記報知手段は、
発光手段を有し、前記取得手段により取得された前記蓄電池の蓄電残量に応じて、前記発光手段の発光態様を制御することを特徴とする請求項１又は２に記載の報知装置。
＜請求項４＞
前記報知手段は、
放音手段を有し、前記取得手段により取得された前記蓄電池の蓄電残量に応じて、前記放音手段の放音態様を制御することを特徴とする請求項１又は２に記載の報知装置。
＜請求項５＞
請求項１〜４の何れか一項に記載の報知装置と、
被写体を撮像する撮像手段とを備え、
前記特定の処理は、前記撮像手段が被写体を撮像する撮像処理を含むことを特徴とする撮像装置。
＜請求項６＞
前記撮像処理により撮像された所定数の画像に基づいて映像を生成する生成手段と、
この生成手段による映像の生成の際に、前記検出手段により検出された前記蓄電池の蓄電残量が当該映像の生成に必要な電力量よりも多いか否かを判定する第１判定手段と、
この第１判定手段による判定結果に基づいて、前記生成手段による映像の生成を制御する生成制御手段と、
を更に備えることを特徴とする請求項５に記載の撮像装置。
＜請求項７＞
前記生成制御手段は、
前記第１判定手段により前記蓄電池の蓄電残量が多いと判定されると、前記生成手段に映像を生成させるように制御することを特徴とする請求項６に記載の撮像装置。
＜請求項８＞
前記生成制御手段は、
前記第１判定手段により前記蓄電池の蓄電残量が多くないと判定されると、前記生成手段による映像の生成を保留させるように制御することを特徴とする請求項６に記載の撮像装置。
＜請求項９＞
前記生成制御手段は、
前記生成手段による映像の生成が保留されている状態で、前記蓄電池に対して外部から電源が供給されると、前記生成手段に当該保留されている映像を生成させるように制御することを特徴とする請求項８に記載の撮像装置。
＜請求項１０＞
前記蓄電池に対する外部からの電源供給能力が前記蓄電池を充電のみさせる程度の能力であるか否かを判定する第２判定手段を更に備え、
前記生成制御手段は、
前記第２判定手段により前記蓄電池を充電のみさせる程度の能力であると判定されると、前記検出手段により検出された前記蓄電池の蓄電残量が前記生成手段による映像の生成に必要な電力量よりも多くなったと前記第１判定手段により判定された後、前記生成手段に当該保留されている映像を生成させるように制御することを特徴とする請求項９に記載の撮像装置。
＜請求項１１＞
前記生成手段による当該保留されている映像の生成の際に、前記蓄電池に対する外部からの電源供給を停止させるよう制御する蓄電制御手段を更に備えることを特徴とする請求項１０に記載の撮像装置。
＜請求項１２＞
各部に電源を供給する蓄電池を備える報知装置を用いた報知方法であって、
前記蓄電池の蓄電残量を検出するステップと、
所定の時間間隔毎に特定の処理を実行するステップと、
前記特定の処理の実行の際に、検出された前記蓄電池の蓄電残量を取得するステップと、
前記特定の処理の実行の際に、取得された前記蓄電池の蓄電残量を報知するステップと、
を含むことを特徴とする報知方法。
＜請求項１３＞
各部に電源を供給する蓄電池を備える報知装置のコンピュータを、
前記蓄電池の蓄電残量を検出する検出手段、
所定の時間間隔毎に特定の処理を実行する処理手段、
この処理手段による前記特定の処理の実行の際に、前記検出手段により検出された前記蓄電池の蓄電残量を取得する取得手段、
前記処理手段による前記特定の処理の実行の際に、前記取得手段により取得された前記蓄電池の蓄電残量を報知する報知手段、
として機能させることを特徴とするプログラム。
【符号の説明】
【００８０】
１００  撮像装置
１      中央制御部
３      撮像部
３ｃ    撮像制御部
４      処理内容設定部
５      画像データ生成部
６      報知部
６ａ    発光部
６ｂ    放音部
７      報知制御部
７ａ    蓄電残量取得部
８      データ生成制御部
８ａ    第１判定部
８ｂ    第２判定部
９      電源部
９ａ    蓄電池
９ｂ    蓄電残量検出部
９ｃ    充電制御部
【図１】
2018112744.tif 000003
【図２】
2018112744.tif 000004
【図３】
2018112744.tif 000005
【図４】
2018112744.tif 000006
【図５】
2018112744.tif 000007
【手続補正書】
【提出日】平成30年2月20日(2018.2.20)
【手続補正２】
【補正対象書類名】明細書
【補正対象項目名】０００１
【補正方法】変更
【補正の内容】
【０００１】
本発明は、データ生成装置、データ生成方法及びプログラムに関する。
【手続補正３】
【補正対象書類名】明細書
【補正対象項目名】０００５
【補正方法】変更
【補正の内容】
【０００５】
そこで、本発明の課題は、蓄電池の蓄電量に応じてデータの生成を適正に行うことができるデータ生成装置、データ生成方法、及び、プログラムを提供することである。
【手続補正４】
【補正対象書類名】明細書
【補正対象項目名】０００６
【補正方法】変更
【補正の内容】
【０００６】
上記課題を解決するため、本発明に係るデータ生成装置は、
蓄電池と、
所定のデータを生成する生成手段と、
前記蓄電池がその蓄電量において前記生成手段による所定のデータの生成に必要な能力を有するか否かを判定する第１の判定手段と、
前記蓄電池に対する外部からの電源供給能力が前記蓄電池を充電のみさせる程度の能力であるか否かを判定する第２の判定手段と、
前記第１の判定手段により前記蓄電池がその蓄電量において前記生成手段による所定のデータの生成に必要な能力を有しないと判定し、且つ、前記第２の判定手段により前記蓄電池に対する外部からの電源供給能力が前記蓄電池を充電のみさせる程度の能力でないと判断すると、前記生成手段に対し前記所定のデータを生成するよう制御する生成制御手段と、
を備えることを特徴としている。
【手続補正５】
【補正対象書類名】明細書
【補正対象項目名】０００７
【補正方法】変更
【補正の内容】
【０００７】
また、本発明に係るデータ生成装置は、
蓄電池と、
所定のデータを生成する生成手段と、
前記蓄電池がその蓄電量において前記生成手段による所定のデータの生成に必要な能力を有するか否かを判定する第１の判定手段と、
前記蓄電池に対する外部からの電源供給能力が前記蓄電池を充電のみさせる程度の能力であるか否かを判定する第２の判定手段と、
前記第１の判定手段により前記蓄電池がその蓄電量において前記生成手段による所定のデータの生成に必要な能力を有しないと判定し、且つ、前記第２の判定手段により前記蓄電池に対する外部からの電源供給能力が前記蓄電池を充電のみさせる程度の能力を有すると判断すると、前記生成手段に対し前記所定のデータを生成するよう制御することなく、前記外部からの電源供給を利用して前記蓄電池を充電させるよう制御する充電制御手段と、
を備えることを特徴としている。
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】削除
【補正の内容】
【手続補正８】
【補正対象書類名】明細書
【補正対象項目名】００１０
【補正方法】変更
【補正の内容】
【００１０】
本発明によれば、蓄電池の蓄電量に応じてデータの生成を適正に行うことができる。
【手続補正９】
【補正対象書類名】特許請求の範囲
【補正対象項目名】全文
【補正方法】変更
【補正の内容】
【特許請求の範囲】
【請求項１】
蓄電池と、
所定のデータを生成する生成手段と、
前記蓄電池がその蓄電量において前記生成手段による所定のデータの生成に必要な能力を有するか否かを判定する第１の判定手段と、
前記蓄電池に対する外部からの電源供給能力が前記蓄電池を充電のみさせる程度の能力であるか否かを判定する第２の判定手段と、
前記第１の判定手段により前記蓄電池がその蓄電量において前記生成手段による所定のデータの生成に必要な能力を有しないと判定し、且つ、前記第２の判定手段により前記蓄電池に対する外部からの電源供給能力が前記蓄電池を充電のみさせる程度の能力でないと判断すると、前記生成手段に対し前記所定のデータを生成するよう制御する生成制御手段と、
を備えることを特徴とするデータ生成装置。
【請求項２】
更に、前記第１の判定手段により前記蓄電池がその蓄電量において前記生成手段による所定のデータの生成に必要な能力を有しないと判定し、且つ、前記第２の判定手段により前記蓄電池に対する外部からの電源供給能力が前記蓄電池を充電のみさせる程度の能力でないと判断すると、前記外部からの電源供給を利用して前記蓄電池を充電させるよう制御する第１の充電制御手段を備えることを特徴とする請求項１に記載のデータ生成装置。
【請求項３】
更に、前記第２の判定手段により前記蓄電池に対する外部からの電源供給能力が前記蓄電池を充電のみさせる程度の能力であると判断すると、前記生成手段に対し前記所定のデータを生成するよう制御することなく、前記外部からの電源供給を利用して前記蓄電池を充電させるよう制御する第２の充電制御手段を備えることを特徴とする請求項１又は２に記載のデータ生成装置。
【請求項４】
更に、前記生成手段による所定のデータの生成時に、前記第１の判定手段により前記蓄電池がその蓄電量において前記所定のデータの生成に必要な能力を有しないと判断すると、前記所定のデータの生成を保留させ、当該所定のデータの生成が未完了である旨の情報を設定する設定手段を備えることを特徴とする請求項１乃至３の何れかに記載のデータ生成装置。
【請求項５】
前記生成制御手段は、前記設定手段により未完了である旨の情報が設定されたものについて、前記所定のデータを生成するよう制御することを特徴とする請求項４に記載のデータ生成装置。
【請求項６】
前記生成手段によって生成される所定のデータとは、動画データであることを特徴とする請求項１乃至５の何れかに記載のデータ生成装置。
【請求項７】
蓄電池と、
所定のデータを生成する生成手段と、
前記蓄電池がその蓄電量において前記生成手段による所定のデータの生成に必要な能力を有するか否かを判定する第１の判定手段と、
前記蓄電池に対する外部からの電源供給能力が前記蓄電池を充電のみさせる程度の能力であるか否かを判定する第２の判定手段と、
前記第１の判定手段により前記蓄電池がその蓄電量において前記生成手段による所定のデータの生成に必要な能力を有しないと判定し、且つ、前記第２の判定手段により前記蓄電池に対する外部からの電源供給能力が前記蓄電池を充電のみさせる程度の能力を有すると判断すると、前記生成手段に対し前記所定のデータを生成するよう制御することなく、前記外部からの電源供給を利用して前記蓄電池を充電させるよう制御する充電制御手段と、
を備えることを特徴とするデータ生成装置。
【請求項８】
所定のデータを生成するデータ生成方法であって、
蓄電池がその蓄電量において前記所定のデータの生成に必要な能力を有するか否かを判定する第１の判定ステップと、
前記蓄電池に対する外部からの電源供給能力が前記蓄電池を充電のみさせる程度の能力であるか否かを判定する第２の判定ステップと、
前記第１の判定ステップにて前記蓄電池がその蓄電量において前記所定のデータの生成に必要な能力を有しないと判定し、且つ、前記第２の判定ステップにて前記蓄電池に対する外部からの電源供給能力が前記蓄電池を充電のみさせる程度の能力でないと判断すると、前記所定のデータを生成するよう制御する生成制御ステップと、
を含むことを特徴とするデータ生成方法。
【請求項９】
所定のデータを生成するデータ生成方法であって、
蓄電池がその蓄電量において前記所定のデータの生成に必要な能力を有するか否かを判定する第１の判定ステップと、
前記蓄電池に対する外部からの電源供給能力が前記蓄電池を充電のみさせる程度の能力であるか否かを判定する第２の判定ステップと、
前記第１の判定ステップにて前記蓄電池がその蓄電量において前記所定のデータの生成に必要な能力を有しないと判定し、且つ、前記第２の判定ステップにて前記蓄電池に対する外部からの電源供給能力が前記蓄電池を充電のみさせる程度の能力を有すると判断すると、前記生成ステップに対し前記所定のデータを生成するよう制御することなく、前記外部からの電源供給を利用して前記蓄電池を充電させるよう制御する充電制御ステップと、
を含むことを特徴とするデータ生成方法。
【請求項１０】
蓄電池を有するコンピュータを、
所定のデータを生成する生成手段、
前記蓄電池がその蓄電量において前記生成手段による所定のデータの生成に必要な能力を有するか否かを判定する第１の判定手段、
前記蓄電池に対する外部からの電源供給能力が前記蓄電池を充電のみさせる程度の能力であるか否かを判定する第２の判定手段、
前記第１の判定手段により前記蓄電池がその蓄電量において前記生成手段による所定のデータの生成に必要な能力を有しないと判定し、且つ、前記第２の判定手段により前記蓄電池に対する外部からの電源供給能力が前記蓄電池を充電のみさせる程度の能力でないと判断すると、前記生成手段に対し前記所定のデータを生成するよう制御する生成制御手段、
として機能させることを特徴とするプログラム。
【請求項１１】
蓄電池を有するコンピュータを、
所定のデータを生成する生成手段、
前記蓄電池がその蓄電量において前記生成手段による所定のデータの生成に必要な能力を有するか否かを判定する第１の判定手段、
前記蓄電池に対する外部からの電源供給能力が前記蓄電池を充電のみさせる程度の能力であるか否かを判定する第２の判定手段、
前記第１の判定手段により前記蓄電池がその蓄電量において前記生成手段による所定のデータの生成に必要な能力を有しないと判定し、且つ、前記第２の判定手段により前記蓄電池に対する外部からの電源供給能力が前記蓄電池を充電のみさせる程度の能力を有すると判断すると、前記生成手段に対し前記所定のデータを生成するよう制御することなく、前記外部からの電源供給を利用して前記蓄電池を充電させるよう制御する充電制御手段、
として機能させることを特徴とするプログラム。